(57)【要約】【課題】  スペーサの端部又はスペーサの側部に、電子放出部から放出される電子が集中する現象を知見し、このような問題点を解決する新たな構造の電子放出表示装置を提供する。【解決手段】  本発明の電子放出表示装置は、画素別に分離されて電子を放出する電子放出領域が設けられる第１基板と、前記第１基板と対向するように配置され、画素別に分離されて放出された電子が蛍光体に衝突して区画される発光領域及び非発光領域が設けられる第２基板と、前記第１基板及び前記第２基板を支持するために設けられた少なくとも一方向に延長されるスペーサとを含み、少なくとも前記スペーサの延長された終端は、前記延長された一方向に所定の幅を有する非発光領域内に位置する構造を提供する。【選択図】  図１ａ
2006019245.tif 000002
【特許請求の範囲】
【請求項１】
画素別に分離されて電子を放出する電子放出領域が設けられる第１基板と、
前記第１基板と対向するように配置され、画素別に分離されて放出された電子が蛍光体に衝突して区画される発光領域及び非発光領域が設けられる第２基板と、
前記第１基板及び前記第２基板を支持するために設けられ、少なくとも一方向に延長されるスペーサとを含み、
少なくとも前記スペーサの延長された終端は、前記延長された一方向に所定の幅を有する非発光領域内に位置することを特徴とする電子放出表示装置。
【請求項２】
前記非発光領域の少なくとも一部には、光遮蔽膜が設けられていることを特徴とする請求項１に記載の電子放出表示装置。
【請求項３】
前記スペーサの形状は、十字型又は一字型であることを特徴とする請求項１に記載の電子放出表示装置。
【請求項４】
前記発光領域は、四角形タイプであることを特徴とする請求項１に記載の電子放出表示装置。
【請求項５】
前記蛍光体は、前記発光領域に設けられることを特徴とする請求項１に記載の電子放出表示装置。
【請求項６】
前記蛍光体は、ストライプ型又はマトリックス型で設けられることを特徴とする請求項１に記載の電子放出表示装置。
【請求項７】
前記発光領域は、横方向の長さがＸ１で縦方向の長さがＹ１である四角形構造で構成され、前記発光領域の間には、横方向の長さがＸ２で縦方向の長さがＹ２である非発光領域が区画される場合、前記スペーサの大きさＬは、ｎおよびｍを自然数として、下記の式で表されることを特徴とする請求項１に記載の電子放出表示装置。
ｎ（Ｘ１＋Ｘ２）−Ｘ２≦Ｌ≦ｎ（Ｘ１＋Ｘ２）＋Ｘ２
ｍ（Ｙ１＋Ｙ２）−Ｙ２≦Ｌ≦ｍ（Ｙ１＋Ｙ２）＋Ｙ２
【請求項８】
画素別に分離されて電子を放出する電子放出領域が設けられる第１基板と、
前記第１基板と対向するように配置され、マトリックス形状で画素が区分されて構成され、前記画素別に放出された電子が衝突して発光する発光領域と、前記画素の間に形成される非発光領域とが設けられる第２基板と、
前記第１基板及び前記第２基板を支持するために設けられ、少なくとも一方向に延長されるスペーサとを含み、
少なくとも前記スペーサの延長された終端は、前記延長された一方向に所定の幅を有する非発光領域内に位置することを特徴とする電子放出表示装置。
【請求項９】
前記スペーサの形状は、十字型又は一字型であることを特徴とする請求項８に記載の電子放出表示装置。
【請求項１０】
前記発光領域は、四角形タイプであることを特徴とする請求項８に記載の電子放出表示装置。
【請求項１１】
前記非発光領域の少なくとも一部には、光遮蔽膜が設けられていることを特徴とする請求項８に記載の電子放出表示装置。
【請求項１２】
画素別に分離されて電子を放出する電子放出領域が設けられる第１基板と、
前記第１基板と対向するように配置され、ストライプ形状で蛍光体が区分されて構成され、前記ストライプ蛍光体には、前記画素別に放出された電子が衝突して発光する発光領域及び非発光領域が設けられる第２基板と、
前記第１基板及び前記第２基板を支持するために設けられ、少なくとも一方向に延長されるスペーサとを含み、
少なくとも前記スペーサの延長された終端は、前記延長された一方向に所定の幅を有する非発光領域内に位置することを特徴とする電子放出表示装置。
【請求項１３】
前記ストライプ形状の蛍光体の間には、光遮蔽膜が設けられることを特徴とする請求項１２に記載の電子放出表示装置。
【請求項１４】
前記スペーサの形状は、十字型又は一字型であることを特徴とする請求項１２に記載の電子放出表示装置。
【発明の詳細な説明】
【技術分野】
【０００１】
本発明は、電子放出表示装置に関し、より詳細には、電子放出部から放出された電子が基板を支持するスペーサの表面に衝突して、スペーサの表面に電荷が充填され、発生するビームの歪曲又はアークなどを防止できる電子放出表示装置に関する。
【背景技術】
【０００２】
一般に、電子放出素子（Ｅｌｅｃｔｒｏｎ  Ｅｍｉｓｓｉｏｎ  Ｄｅｖｉｃｅ）は、電子源として、熱陰極を利用する方式と、冷陰極を利用する方式とがある。
【０００３】
冷陰極を利用する方式の電子放出素子としては、ＦＥＡ（Field Emitter Array）型、ＳＣＥ（Surface Conduction Emitter）型、ＭＩＭ（Metal-Insulator-Metal）型及びＭＩＳ（Metal-Insulator-Semiconductor）型、ＢＳＥ（Ballistic electron Surface Emitting）型などがよく知られている。
【０００４】
ＦＥＡ型電子放出素子は、仕事関数（Work Function）が低いか、β関数が高い物質を電子放出源として使用して、真空中で電界差によって電子が放出される原理を利用したもので、先端が鋭いチップ構造物や炭素系物質又はナノ物質を電子放出源として適用した素子が開発されている。
【０００５】
ＳＣＥ型電子放出素子は、基板上に互いに対向して配置される２つの電極の間に導電薄膜を設け、該導電薄膜に微細なギャップを設けることによって、電子放出部を形成した素子である。この素子は、電極に電圧を印加し、導電薄膜の表面に電流を流して、前記微細なギャップである電子放出部から電子が放出される原理を利用する。
【０００６】
ＭＩＭ型及びＭＩＳ型電子放出素子は、それぞれ、金属−誘電層−金属（ＭＩＭ）及び金属−誘電層−半導体（ＭＩＳ）構造よりなる電子放出部を形成し、誘電層を間に挟んで位置する２つの金属の間、又は金属と半導体の間に電圧を印加する時、高い電子電位を有する金属又は半導体から低い電子電位を有する金属側へ電子が移動及び加速されつつ放出される原理を利用した素子である。
【０００７】
ＢＳＥ型電子放出素子は、半導体のサイズを、半導体中の電子の平均自由行程より小さな寸法領域までに縮小すれば、電子が散乱せずに走行する原理を利用して、オーミック電極上に金属又は半導体よりなる電子供給層を形成し、電子供給層上に絶縁層と金属薄膜を形成して、オーミック電極と金属薄膜に電源を印加することによって、電子が放出されるようにした素子である。
【０００８】
このような電子放出素子を利用すれば、電子放出表示装置、各種のバックライト、リソグラフィ用電子ビーム装置などを具現できる。これらのうち、電子放出表示装置は、電子放出素子を有し、電子を放出する電子放出領域と、放出された電子を蛍光層に衝突させて発光させるための画像表現領域とを備えて構成される。一般に、電子放出表示装置は、第１基板上に多数の電子放出素子と、それらの電子放出を制御する駆動電極とを備え、第１基板から放出された電子が第２基板に形成される蛍光層に向けて効率的に加速され得るように、蛍光層と、それに接続される電極とを備える。
【０００９】
また、前述のような電子放出表示装置において、蛍光層の間に、前記電極の表面に高真空で密封されるアノード基板とカソード基板を支持するためのスペーサが、例えば、導電性メッシュ上に設けられる。
【００１０】
ところが、このような電子放出表示装置において、電子放出部から放出された電子のうち一部は、自分のセル以外の他のセルにも衝突するようになるか、又は蛍光膜の発光に使用されずにスペーサの表面に充填されることがある。すなわち、スペーサの表面に充填された電子は、蛍光膜に向かう電子の移動軌跡を歪曲させることになる。また、スペーサの表面に一定量以上の電子が充填されると、この電子が外部に飛び出されて、アークが発生する問題が発生する。
【００１１】
特許文献１には、真空パッケージングの際に、外部スペーサが画面の外部に設けられた電界効果電子放出表示素子が開示されている。また、特許文献２には、スペーサおよびその製造方法、およびそのスペーサと結合した電界放出型ディスプレー装置が開示されている。
【特許文献１】韓国特許公開第１９９９−００２１７９３号明細書
【特許文献２】韓国特許公開第２００２−００５２３５５号明細書
【発明の開示】
【発明が解決しようとする課題】
【００１２】
本発明は、上記の問題を解決するためになされたもので、本発明の目的は、スペーサの端部又はスペーサの側部に、電子放出部から放出される電子が集中する現象を知見し、このような問題を解決する新たな構造の電子放出表示装置を提供することにある。
【００１３】
また、本発明の他の目的は、電子放出部から放出された電子が衝突する画像具現領域（発光領域）とスペーサとの配置又は位置関係を最適化した電子放出表示装置を提供することにある。
【課題を解決するための手段】
【００１４】
前記目的を達成するために、本発明の第１の例による電子放出表示装置は、画素別に分離されて電子を放出する電子放出領域が設けられる第１基板と、前記第１基板と対向するように配置され、画素別に分離されて放出された電子が蛍光体に衝突して区画される発光領域及び非発光領域が設けられる第２基板と、前記第１基板及び前記第２基板を支持するために設けられ、少なくとも一方向に延長されるスペーサとを含み、少なくとも前記スペーサの延長された終端は、前記延長された一方向に所定の幅を有する非発光領域内に位置することを特徴とする。
【００１５】
好ましくは、前記非発光領域の少なくとも一部には、光遮蔽膜が設けられており、蛍光体は、前記発光領域に設けられている。
【００１６】
前記スペーサの形状は、十字型又は一字型であってもよく、発光領域は、四角形タイプであり、蛍光体は、ストライプ型又はマトリックス型であってもよい。
【００１７】
また、本発明の第２の例による電子放出表示装置は、画素別に分離されて電子を放出する電子放出領域が設けられる第１基板と、前記第１基板と対向するように配置され、マトリックス形状で画素が区分されて構成され、前記画素別に放出された電子が衝突して発光する発光領域と、前記画素の間に形成される非発光領域とが設けられる第２基板と、前記第１基板及び前記第２基板を支持するために設けられ、少なくとも一方向に延長されるスペーサとを含み、少なくとも前記スペーサの延長された終端は、前記延長された一方向に所定の幅を有する非発光領域内に位置することを特徴とする。
【００１８】
また、本発明の第３の例による電子放出表示装置は、画素別に分離されて電子を放出する電子放出領域が設けられる第１基板と、前記第１基板と対向するように配置され、ストライプ形状で蛍光体が区分されて構成され、前記ストライプ蛍光体には、前記画素別に放出された電子が衝突して発光する発光領域及び非発光領域が設けられる第２基板と、前記第１基板及び前記第２基板を支持するために設けられ、少なくとも一方向に延長されるスペーサとを含み、少なくとも前記スペーサの延長された終端は、前記延長された一方向に所定の幅を有する非発光領域内に位置することを特徴とする。
【００１９】
しかしながら、下記の実施形態は、この技術分野における通常の知識を有する者が本発明を容易に理解できるように提供されるものであって、様々の他の形態で変形することができ、本発明の範囲が下記の実施形態に限定されるものではない。
【発明の効果】
【００２０】
本発明は、スペーサと発光領域との位置及び配置関係を考慮して、スペーサの端部が少なくとも発光領域内に位置しないように考慮することによって、電子放出部から放出される電子がスペーサに充填されることによって発生するビームの歪曲現象を大いに減少させることができ、且つ、スペーサの表面に一定量以上の電子が充填されると、この電子が外部に飛び出されて、アークの発生を抑制できるという効果がある。
【発明を実施するための最良の形態】
【００２１】
図１ａ乃至図１ｃは、本発明の一実施形態による電子放出表示装置において、スペーサの終端の位置を説明するための概略平面図である。この図面は、上部から見た時、スペーサと発光領域との配置関係のみを示す平面図である。
【００２２】
電子放出表示装置は、画素別に分離されて電子を放出する電子放出領域が設けられる第１基板と、第１基板と対向するように配置され、画素別に分離されて放出された電子が蛍光体に衝突して区画される発光領域及び非発光領域が設けられる第２基板と、第１基板及び第２基板を支持するために設けられ、少なくとも一方向に延長されるスペーサとを含む。これについては詳細に後述する。
【００２３】
図１ａを参照すれば、このような電子放出表示装置において、十字型のスペーサ１８の各終端１８’は、その延長された各方向に所定の幅を有する非発光領域２０内に位置する。
【００２４】
発光領域１９は、電子放出部から画素別に放出された電子が衝突して発光する領域を意味し、非発光領域２０は、発光領域１９と区別される領域であって、実質的に電子の衝突が頻繁に起こらない領域を意味する。例えば、光遮蔽膜がマトリックス形態で形成されている構造において、発光領域１９を、Ｒ、Ｇ、Ｂの蛍光体を形成した領域として、非発光領域２０を、光遮蔽膜が分離されて形成されている領域として、分けることができる。一方、蛍光層がストライプ形状で形成されている場合、蛍光体の一部のみが発光領域であり、相対的に電子の衝突が少ない領域は非発光領域であると区分することができる。
【００２５】
上述した配置形態のスペーサ１８は、電子放出部から放出された電子がスペーサ１８の終端１８’、１８”に集中する現象を防止することによって、発光領域１９に向かう電子の歪曲現象を防止する。したがって、スペーサに電子が充填されてアーキングが発生する現象を防止できる。図１ｂ及び図１ｃは、一字型スペーサの終端の位置と発光領域との配置関係を説明するための概略平面図である。一字型のスペーサ１８の各終端１８”は、その延長された一方向に所定の幅を有する非発光領域２０内に位置する。
【００２６】
スペーサ１８の終端１８’の配置関係について検討すれば、スペーサ１８は、電子放出部から放出された電子の衝突により、スペーサ１８の材質に応じて多少差があり得るが、正の電荷に帯電される。正の電荷に帯電されたスペーサ１８は、電子ビームを歪曲させたり、引き寄せることになる。この時、スペーサ１８の終端１８’が電子ビームの軌跡に含まれれば、スペーサの終端１８’の付近を通過する電子ビームが主に歪曲される。したがって、スペーサ１８の終端１８’が発光領域から隔離されることが重要である。
【００２７】
図２は、本発明の実施形態による蛍光層がストライプ形状で形成されている場合の概略平面図である。図２を参照すれば、蛍光体１５がストライプ形状で形成されていて、発光領域１９は、ストライプ蛍光体１５の一部に区画される。例えば、蛍光体１５以外の領域には、部分的に光遮蔽膜が追加されうる。
【００２８】
図３は、本発明の一実施形態による電子放出表示装置において、スペーサの終端の位置をより詳細に説明するための平面図である。
【００２９】
発光領域１９が、横方向の長さがＸ１で縦方向の長さがＹ１である四角形構造で構成され、発光領域の間では、非発光領域が図面のように横方向の長さがＸ２で縦方向の長さがＹ２となるように区画されている場合、スペーサの大きさをＬとし、ｎおよびｍを自然数とした時、スペーサの大きさのＸ１の値、Ｙ１の値は、各々次の数式で表される。
【００３０】
ｎ（Ｘ１＋Ｘ２）−Ｘ２≦Ｌ≦ｎ（Ｘ１＋Ｘ２）＋Ｘ２
ｍ（Ｙ１＋Ｙ２）−Ｙ２≦Ｌ≦ｍ（Ｙ１＋Ｙ２）＋Ｙ２
【００３１】
このような数式によれば、スペーサの終端はＡ、Ｂ、Ｃ領域内に位置することになる。
【００３２】
図４ａ及び図４ｂは、スペーサの存在有無による電子ビームの軌跡を実際に測定した写真である。図４ａは、スペーサが存在する場合、電子ビームが歪曲される現象を示しているが、点線で電子ビームの歪曲を示す。図４ｂは、スペーサが存在しない場合、電子ビームが正常に発光領域に衝突する状況を示している。比較のために、図４ｂにおいて、存在しないスペーサを点線で示した。図４ａのように、スペーサが存在する場合は、電子ビームが歪曲される。
【００３３】
図５ａ及び図５ｂは、スペーサの終端と発光領域との配置関係による電子ビームの軌跡を測定した写真である。図５ａは、スペーサの終端がその延長方向に所定の幅を有する非発光領域までに到達しなかった配置である場合の電子ビームの軌跡を示しており、図５ｂは、スペーサの終端がその延長方向に所定の幅を有する非発光領域に到達した場合の電子ビームの軌跡を示している。図５ａから、電子ビームが歪曲されていることが分かり、図５ｂから、電子ビームの歪曲現象がほとんど発生していないことが分かる。
【００３４】
図６は、本発明の一実施形態による電子放出表示装置の一部の断面図である。この図では、スペーサが導電性メッシュに装着される場合を例示している。導電性メッシュ１６には、メッシュホール１６’とスペーサの挿入ホール１６”が各々形成されている。メッシュホール１６’は、上部アノード基板（図示せず）の蛍光体の各色相単位に開口されるように構成することが可能であり、スペーサ挿入ホール１６”には、スペーサの端部が嵌められるようになる。
【００３５】
図６を参照すれば、スペーサ挿入ホール１６”の終端は、少なくともメッシュホール１６’の終端までに延長形成されていることが分かる。こうした場合には、メッシュホール１６’と上部発光領域（図示せず）が、上部から平面的に見下ろした時、互いに実質的に一致して対応する構造である。この場合は、電子ビームの方向が全体的に下部基板と垂直に放出される構造に適合し、電子ビームの軌跡が全体的に一方向に曲がるような構造では、メッシュホールと上部基板の発光領域が実質的に一致しない場合もあり得る。本発明の変形例では、このような場合には、電子ビームの軌跡を立体的に把握し、スペーサの終端が電子ビームの軌跡に影響を及ぼさないように構成することが必要である。
【００３６】
図６を参照すれば、一字型のスペーサの各終端がその延長方向に所定の幅を有する非発光領域（メッシュホール以外の領域）内に位置するように構成し、電子放出部から放出された電子がスペーサの終端に集中する現象を防止できる。前述のような原理で、スペーサの終端等は、導電性メッシュのメッシュホール１６’との配置関係よりは、電子が衝突する発光領域との配置関係にさらに依存する。
【００３７】
一方、導電性メッシュが設けられる電子放出表示装置の一部の構成を調べて見れば、次の通りである。電子放出表示装置は、画像具現部である蛍光体を含むアノード基板を備えて構成される。
【００３８】
さらに図６を参照すれば、カソード基板１１上に、カソード電極１２、電子放出部（図示せず）、第１絶縁層１３及びゲート電極１４を形成し、メッシュホール１６’が形成されている導電性メッシュ１６には、絶縁層１７が形成される。前記導電性メッシュ１６には、前記各蛍光膜のＲＧＢ単位画素に対応するように、メッシュホール１６’を形成し、次いで、スペーサ１８の端部が挿入されるスペーサ挿入ホール１６”を形成する。
【００３９】
次に、導電性メッシュ１６を、カソード基板１１に設けられたゲート電極１４上に、フリットなどを用いて接合固定するようになる。次いで、スペーサ１８の終端が、電子が衝突する発光領域内に位置しないようにするために、スペーサ挿入ホール１６”の終端は、少なくともメッシュホール１６’の終端までに延長形成する。スペーサ１８の端部を、前記導電性メッシュ１６上部のスペーサ挿入ホール１６”に固定してから、カソード基板１１と、アノード電極及びアノード電極上の蛍光膜を備えたアノード基板とを、通常の方法で互いにパッケージングするようになる。
【００４０】
しかしながら、図面においてａで表したスペーサ挿入ホールは、メッシュホール１６’の終端までに延長形成されずに、前記メッシュホール１６’内に終端が位置していることを示す。この場合、スペーサの挿入ホールａに嵌められるスペーサ１６の終端は、電子の放出軌跡内（発光領域）に位置するようになるので、スペーサ１６に充填される電子の量が増加し、これにより、ビームの歪曲現象及びアーク発生の問題点が依然として存在する。
【００４１】
次に、図７を参照して、本発明の実施形態による電子放出表示装置を詳細に説明する。
【００４２】
本発明による電子放出表示素子は、スペーサ１３４などによって所定の間隔で離隔されている第１基板１２０及び第２基板１１０を有する。フリット１３２を塗布して塑性処理することによって限定される第１基板１２０と第２基板１１０間の離隔空間は、排気工程により真空状態のまま維持される。
【００４３】
第１基板１２０には、画素別に分離されて電子を放出する電子放出領域が設けられている。電子放出領域の各画素は、カソード電極１２２と、カソードラインと交差するゲート電極１２６とにより区画され、カソード電極１２２とゲート電極１２６は、所定の厚さを有する絶縁層１２４によって絶縁される。そして、ゲート電極１２６には、電子放出部１２３から放出される電子が通過できる所定サイズのゲートホールが形成され、ゲートホールを介して露出されるカソード電極１２２の表面には、電子を容易に放出できる電子放出部１２３が設けられている。
【００４４】
さらに図７を参照すれば、第２基板１１０は、第１基板１２０の電子放出領域に対応し、放出された電子が蛍光体に衝突し区画される発光領域１１４ａ、１１４ｂ、１１４ｃと、非発光領域１１６とに区分されることができ、第２基板１１０の内面には、少なくとも１つのアノード電極１１２が形成されており、アノード電極１１２の少なくともいずれか一面に配列されたＲ、Ｇ、Ｂの蛍光体が発光領域１１４ａ、１１４ｂ、１１４ｃの機能を果たす。加えて、非発光領域１１６が介在されることができる。蛍光体１１４ａ、１１４ｂ、１１４ｃと非発光領域１１６は、電気泳動（electro-phoresing）、スクリーンプリント、スラリー方法などで形成されることができる。アノード電極１１２は、ＩＴＯ（Indium Tin Oxide）などのような透明電極を使用することもでき、又は薄い金属層を形成して使用することもできる。また、前記アノード電極１１２は、一体型電極、ストライプ形状、又は分割型電極のいずれも可能である。蛍光体１１４ａ、１１４ｂ、１１４ｃは、ストライプ形状又はドット形状のいずれも可能である。
【００４５】
一方、必要に応じて、第１基板１２０と第２基板１１０との間の離隔空間に、電子集束効果及びアーク放電相殺効果のために、金属材質の導電性メッシュ１３６が設けられている。図面符号１３８は、導電性メッシュ１３６を支持する絶縁物質のグリッドホルダーである。
【００４６】
このような構造で、スペーサの各終端は、その延長方向に所定の幅を有する非発光領域内に位置するように構成することによって、電子放出部から放出された電子がスペーサの終端に集中する現象を防止できる。
【００４７】
上記において、電子放出部は、電界が加えられれば電子を放出する物質よりなり、電極が電子放出を制御することに限定して説明したが、電子放出素子であれば特に限らず、多様な変形が可能であることは自明である。
【００４８】
以上、前述した本発明は、添付図面に基づいて示された実施形態を参考として説明したが、これは例示的なものに過ぎず、当該分野における通常の知識を有する者であれば、本発明の技術的思想を逸脱しない範囲内で、様々な変形及び均等な実施形態が可能であることが理解できるであろう。したがって、本発明の真正な保護範囲は添付された請求の範囲によって決められるべきである。
【図面の簡単な説明】
【００４９】
【図１ａ】本発明の一実施形態による電子放出表示装置においてスペーサの終端位置を説明するための概略平面図である。
【図１ｂ】本発明の一実施形態による電子放出表示装置においてスペーサの終端位置を説明するための概略平面図である。
【図１ｃ】本発明の一実施形態による電子放出表示装置においてスペーサの終端位置を説明するための概略平面図である。
【図２】本発明の実施形態により、蛍光層がストライプ形状で形成されている電子放出表示装置の概略平面図である。
【図３】本発明の一実施形態による電子放出表示装置においてスペーサの終端の位置を説明するための平面図である。
【図４ａ】本発明の実施形態により、スペーサの存在有無による電子ビームの軌跡を実際に測定した写真である。
【図４ｂ】本発明の実施形態により、スペーサの存在要否による電子ビームの軌跡を実際に測定した写真である。
【図５ａ】本発明の実施形態により、スペーサ終端と発光領域との配置関係による電子ビームの軌跡を測定した写真である。
【図５ｂ】本発明の実施形態により、スペーサ終端と発光領域との配置関係による電子ビームの軌跡を測定した写真である。
【図６】本発明の一実施形態による電子放出表示装置の一部の断面図である。
【図７】本発明の一実施形態による電子放出表示装置の一部の断面図である。
【符号の説明】
【００５０】
１１  カソード基板
１２、１２２  カソード電極
１３  第１絶縁層
１４、１２６  ゲート電極
１５、１３２  フリット
１５  蛍光体
１６、１３６  導電性メッシュ
１６’  メッシュホール
１６”、ａ  挿入ホール
１７、１２４  絶縁層
１８’、１８”  終端
１８、１３４  スペーサ
２０、１１６  非発光領域
１１０  第２基板
１１２  アノード電極
１９、１１４ａ、１１４ｂ、１１４ｃ  発光領域
１２０  第１基板
１２３  電子放出部
１３８  グリッドホルダー
【図１ａ】
2006019245.tif 000003
【図１ｂ】
2006019245.tif 000004
【図１ｃ】
2006019245.tif 000005
【図２】
2006019245.tif 000006
【図３】
2006019245.tif 000007
【図４ａ】
2006019245.tif 000008
【図４ｂ】
2006019245.tif 000009
【図５ａ】
2006019245.tif 000010
【図５ｂ】
2006019245.tif 000011
【図６】
2006019245.tif 000012
【図７】
2006019245.tif 000013